(57)【要約】【課題】下部構造体の上部に複数の開閉体を備える構成において、下側に位置する開閉体を開いても、その上側に位置する開閉体が大きく開くことを防止する画像読取装置を提供する。【解決手段】画像読取装置は、下部構造体と、下部構造体に対して回動可能に設けられ、回動することにより下部構造体の上部を開閉する第１の開閉体と、第１の開閉体に対して回動可能に設けられ、回動することにより第１の開閉体の上部を開閉する、開閉方向が第１の開閉体の開閉方向と同じである第２の開閉体と、第１の開閉体が閉状態にあるとき、当該第１の開閉体に対する第２の開閉体の最大開き角を第１の角度に規制する第１の角度規制部と、第１の開閉体が開状態にあるとき、当該第１の開閉体に対する第２の開閉体の最大開き角を、第１の角度より小さい第２の角度に規制する第２の角度規制部と、を備える。【選択図】図３
2014192862.tif 000002
【特許請求の範囲】
【請求項１】
下部構造体と、
前記下部構造体に対して回動可能に設けられ、回動することにより前記下部構造体の上部を開閉する第１の開閉体と、
前記第１の開閉体に対して回動可能に設けられ、回動することにより前記第１の開閉体の上部を開閉する、開閉方向が前記第１の開閉体の開閉方向と同じである第２の開閉体と、
前記第１の開閉体が閉状態にあるとき、当該第１の開閉体に対する前記第２の開閉体の最大開き角を第１の角度に規制する第１の角度規制部と、
前記第１の開閉体が開状態にあるとき、当該第１の開閉体に対する前記第２の開閉体の最大開き角を、前記第１の角度より小さい第２の角度に規制する第２の角度規制部と、
を備えた、画像を読み取る画像読取装置。
【請求項２】
請求項１に記載の画像読取装置において、前記第１の角度規制部は、前記第１の開閉体に設けられている、
ことを特徴とする画像読取装置。
【請求項３】
請求項１または２に記載の画像読取装置において、前記第２の角度規制部は、前記下部構造体に設けられている、
ことを特徴とする画像読取装置。
【請求項４】
請求項１から３のいずれか一項に記載の画像読取装置において、前記第２の開閉体が開状態のときに、前記第１の開閉体を閉状態から開状態に移行させる場合、前記第２の開閉体の開き角を前記第１の角度に規制する前記第１の開閉体の回動により、前記第１の角度規制部と前記第２の開閉体との当接状態が解除され、前記第２の開閉体の開き角を前記第２の角度に規制する前記第２の角度規制部と、前記第２の開閉体との当接状態に移行する、
ことを特徴とする画像読取装置。
【請求項５】
請求項１から４のいずれか一項に記載の画像読取装置において、前記第１の開閉体は、原稿を載置する原稿台を備え、
前記第２の開閉体は、前記原稿台を開閉するカバーである、
ことを特徴とする画像読取装置。
【請求項６】
請求項１から５のいずれか一項に記載の画像読取装置において、前記第１の開閉体は、原稿を載置する原稿台を備え、
前記第２の開閉体は、前記原稿台上の画像読取位置に原稿を搬送する搬送装置である、
ことを特徴とする画像読取装置。
【請求項７】
請求項５または請求項６に記載の画像読取装置において、前記第２の開閉体は、前記原稿台に対して進退する方向に変位可能である、
ことを特徴とする画像読取装置。
【請求項８】
請求項１から７のいずれか一項に記載の画像読取装置において、前記下部構造体は、媒体に記録を行う記録手段を備える、
ことを特徴とする画像読取装置。
【発明の詳細な説明】
【技術分野】
【０００１】
本発明は、スキャナーに代表される画像読取装置に関する。
【背景技術】
【０００２】
画像読取装置の一例としてのスキャナーは、特許文献１に示される様に下部構造物の一例としての、記録用紙に記録を行う記録装置の上部に設けられる場合がある。この場合、記録装置のメンテナンスの為、スキャナーは記録装置の上部を開閉可能に設けられる。この開閉は、多くの場合スキャナーの回動動作によって行われる。
【０００３】
またスキャナーの上部には、原稿台を開閉するカバーが設けられる、多くの場合このカバーは回動動作によって原稿台を開閉する様に設けられる。或いは、この様なカバーに代えて、オートドキュメントフィーダー（ＡＤＦ）と呼ばれる自動原稿搬送装置がスキャナー上部に設けられる場合もあるが、やはり多くの場合このオートドキュメントフィーダーも、回動することにより原稿台を開閉する様に設けられる。
【先行技術文献】
【特許文献】
【０００４】
【特許文献１】特開２００７−３３６２７３号公報
【発明の概要】
【発明が解決しようとする課題】
【０００５】
上記の様に下部構造物としての記録装置（プリンター）上部にスキャナー本体が開閉可能に設けられ、またスキャナー本体に対し原稿カバー（或いはオートドキュメントフィーダー）が開閉可能に設けられる場合、原稿カバーを開いた状態でスキャナー本体を開くと、原稿カバーは記録装置に対して更に大きく回動することとなる。
【０００６】
例えば、スキャナー本体と原稿カバーがともに記録装置後方側に向けて開く構成であれば、原稿カバーを開いた状態でスキャナー本体を開くと、原稿カバーは記録装置後方に大きく開いてしまう為、装置後方に大きなスペースを必要としてしまう。或いは、その様な大きなスペースを設けずに装置を設置すると、原稿カバーを開いた状態でスキャナー本体を開いた際に、原稿カバーが装置後方の物体（例えば、壁）などに衝突し、原稿カバーが破損する虞もある。
【０００７】
そこで本発明はこの様な状況に鑑みなされたものであり、その目的は、下部構造体の上部に複数の開閉体を備える構成において、下側に位置する開閉体を開いても、その上側に位置する開閉体が大きく開くことを防止する画像読取装置を提供することにある。
【課題を解決するための手段】
【０００８】
上記課題を解決する為の、本発明の第１の態様に係る画像読取装置は、下部構造体と、前記下部構造体に対して回動可能に設けられ、回動することにより前記下部構造体の上部を開閉する第１の開閉体と、前記第１の開閉体に対して回動可能に設けられ、回動することにより前記第１の開閉体の上部を開閉する、開閉方向が前記第１の開閉体の開閉方向と同じである第２の開閉体と、前記第１の開閉体が閉状態にあるとき、当該第１の開閉体に対する前記第２の開閉体の最大開き角を第１の角度に規制する第１の角度規制部と、前記第１の開閉体が開状態にあるとき、当該第１の開閉体に対する前記第２の開閉体の最大開き角を、前記第１の角度より小さい第２の角度に規制する第２の角度規制部と、を備えたことを特徴とする。
【０００９】
本態様によれば、前記第２の開閉体は、前記第１の開閉体が閉状態にあるときに第１の角度規制部により前記第１の開閉体に対する最大開き角が第１の角度に規制され、前記第１の開閉体が開状態にあるときは、前記第１の角度規制部とは異なる第２の角度規制部によって、前記第１の開閉体に対する最大開き角が前記第１の角度より小さい第２の角度に規制されるので、前記第１の開閉体を開いた際に、それに応じて前記第２の開閉体が（下部構造体に対して）より大きく開いてしまうことを防止できる。これにより、装置の設置スペースを削減できると同時に、前記第２の開閉体を破損させることがなく、或いは破損虞を軽減することができる。
【００１０】
本発明の第２の態様は、第１の態様において、前記第１の角度規制部は、前記第１の開閉体に設けられていることを特徴とする。  
本態様によれば、前記第１の角度規制部は、前記第１の開閉体に設けられているので、前記第１の開閉体が前記下部構造体から独立した状態でも、前記第２の開閉体の最大開き角を規制することができ、例えば装置の組立工程において前記第２の開閉体を所定の開き角に維持することができ、作業性が容易となる。
【００１１】
本発明の第３の態様は、第１のまたは第２の態様において、前記第２の角度規制部は、前記下部構造体に設けられていることを特徴とする。  
本態様によれば、前記第２の角度規制部は、前記下部構造体に設けられているので、前記第１の開閉体の状態に拘わらず、確実に、前記第２の開閉体の最大開き角を規制することができる。
【００１２】
本発明の第４の態様は、第１から第３の態様のいずれかにおいて、前記第２の開閉体が開状態のときに、前記第１の開閉体を閉状態から開状態に移行させる場合、前記第２の開閉体の開き角を前記第１の角度に規制する前記第１の開閉体の回動により、前記第１の角度規制部と前記第２の開閉体との当接状態が解除され、前記第２の開閉体の開き角を前記第２の角度に規制する前記第２の角度規制部と、前記第２の開閉体との当接状態に移行することを特徴とする。
【００１３】
本発明の第５の態様は、第１から第４態様のいずれかにおいて、前記第１の開閉体は、原稿を載置する原稿台を備え、前記第２の開閉体は、前記原稿台を開閉するカバーであることを特徴とする。  
本態様によれば、前記第１の開閉体が原稿を載置する原稿台を備え、前記第２の開閉体が前記原稿台を開閉するカバーする構成において、上記第１から第３の態様のいずれかの作用効果が得られる。
【００１４】
本発明の第６の態様は、第１から第５の態様のいずれかにおいて、前記第１の開閉体は、原稿を載置する原稿台を備え、前記第２の開閉体は、前記原稿台上の画像読取位置に原稿を搬送する搬送装置であることを特徴とする。
【００１５】
本態様によれば、前記第１の開閉体が原稿を載置する原稿台を備え、前記第２の開閉体が、前記原稿台上の画像読取位置に原稿を搬送する搬送装置である構成において、上記第１から第３の態様のいずれかの作用効果が得られる。
【００１６】
本発明の第７の態様は、第５のまたは第６の態様において、前記第２の開閉体は、前記原稿台に対して進退する方向に変位可能であることを特徴とする。  
本態様によれば、前記第２の開閉体は、前記原稿台に対して進退する方向に変位可能であるので、閉状態において前記原稿台に載置された原稿の厚みに応じて前記原稿台に対する位置を調整することができる。これにより、前記第２の開閉体（カバー）によって、前記原稿台に載置された原稿を全体的に、均一に押圧することができ、適切な読取結果を得ることができる。
【００１７】
本発明の第８の態様は、第１から第７の態様のいずれかにおいて、前記下部構造体は、媒体に記録を行う記録手段を備えることを特徴とする。  
本態様によれば、前記下部構造体が、媒体に記録を行う記録手段を備える構成において、上記第１から第７の態様のいずれかの作用効果が得られる。
【図面の簡単な説明】
【００１８】
【図１】本発明に係る画像読取装置の一例であるプリンター複合機の左側面図である。
【図２】本発明に係る画像読取装置の一例であるプリンター複合機の左側面図である。
【図３】本発明に係る画像読取装置の一例であるプリンター複合機の左側面図である。
【図４】本発明に係る画像読取装置の一例であるプリンター複合機後側の拡大左側面図である。
【図５】本発明に係る画像読取装置の一例であるプリンター複合機後側の拡大左側面図である。
【図６】本発明に係る画像読取装置の一例であるプリンター複合機後側の拡大左側面図である。
【図７】本発明に係る画像読取装置の一例であるプリンター複合機左後の拡大断面図である。
【図８】本発明に係る画像読取装置の一例であるプリンター複合機後側の拡大断面図である。
【図９】本発明に係る画像読取装置の一例であるプリンター複合機後側の拡大断面図である。
【図１０】本発明に係る画像読取装置の一例であるプリンター複合機後側の拡大断面図である。
【発明を実施するための形態】
【００１９】
以下、本発明の実施の形態を図面に基づいて説明する。  
図１乃至図３は、本発明に係る画像読取装置の一例であるプリンター複合機１１の外観を示す左側面図である。図１は、カバー２２およびスキャナー本体２３を閉じた状態のプリンター複合機１１の外観を示す左側面図である。図２は、スキャナー本体２３を閉じたままカバー２２を開いた状態のプリンター複合機１１の外観を示す左側面図である。図３は、カバー２２およびスキャナー本体２３を開いた状態のプリンター複合機１１の外観を示す左側面図である。
【００２０】
なお、以下、プリンター複合機１１に対して前後の方向をＹ軸で図示し、上下の方向をＺ軸で図示し、左右の方向をＸ軸で図示する。また、以下、Ｘ軸方向のうち、図１中の手前側を単に左側と称し、Ｘ軸方向のうち、図１中の奥側を単に右側と称する。さらに、以下、Ｙ軸方向のうち、図１中の右側を単に前側と称し、Ｙ軸方向のうち、図１中の左側を単に後側と称する。さらにまた、以下、Ｚ軸方向のうち、図１中の上側を単に上側と称し、Ｚ軸方向のうち、図１中の下側を単に下側と称する。
【００２１】
プリンター複合機１１は、スキャナー部２４を、プリンター部（以下「本体」と言う）２１の上部に備えて成り、即ちプリンター複合機１１は、媒体の一例である用紙に記録する記録機能と、原稿を読み取るスキャナー機能とを備える。スキャナー部２４は更に、カバー２２、およびスキャナー本体２３を備えている。本体２１は、下部構造体の一例であり、インクなどによって用紙に文字または画像を描画する記録ヘッド（不図示）などの、媒体に記録を行う記録手段を備える。
【００２２】
カバー２２は、スキャナー本体２３に対して開閉可能に設けられている。スキャナー本体２３は、本体２１に対して開閉可能に設けられている。ユーザーは、スキャナー本体２３に対してカバー２２を開閉することができ、また本体２１に対してスキャナー本体２３を開閉することができる。カバー２２を開くと、原稿台２５が表れる。またスキャナー本体２３を開くと、本体１１の内部が表れ、インクカートリッジの交換作業や、紙ジャム処理などが行える。なお、ユーザーとは、エンドユーザーに限られず、プリンター複合機１１の組立作業またはアフターメンテナンスを行う人など、プリンター複合機１１を扱う全ての人を意味する。
【００２３】
カバー２２は、第２の開閉体の一例であり、開閉することにより、スキャナー本体２３の上面に設けられた原稿台２５を覆うか、原稿台２５の上側に原稿を載置するなどできるように原稿台２５の上を開く。
【００２４】
スキャナー本体２３は、第１の開閉体の一例であり、上面に設けられた原稿台２５に載置されている原稿に記録されている画像を読み取る。すなわち、スキャナー本体２３は原稿を載置する原稿台２５を備え、カバー２２は、原稿台２５を開閉するカバーである。
【００２５】
閉じられているカバー２２の前端２２ａをユーザーが上げると、カバー２２は、その後端に設けられている軸（後述）を中心に図１および図２中反時計方向に回動する。これにより、図２に示されるように、カバー２２は、スキャナー本体２３に対して角度α１まで開かれる。逆に、開かれているカバー２２の前端２２ａをユーザーが下げると、カバー２２は、その後端に設けられている軸（後述）を中心に図１および図２中時計方向に回動する。これにより、カバー２２は、スキャナー本体２３に対して閉じられる。
【００２６】
このように、カバー２２は、スキャナー本体２３に対して回動可能に設けられ、回動することによりスキャナー本体２３の上部を開閉する。
【００２７】
カバー２２が開かれている状態で、閉じられているスキャナー本体２３の前端２３ａをユーザーが上げると、スキャナー本体２３は、その後端に設けられている軸（後述）を中心に図２および図３中反時計方向に回動する。これにより、図３に示されるように、スキャナー本体２３は、カバー２２が開かれる方向と同じ方向に、本体２１に対して開かれる。このとき、図３に示されるように、カバー２２は、スキャナー本体２３に対して角度α２まで開かれる。ここで、角度α２は、角度α１より小さい。
【００２８】
カバー２２およびスキャナー本体２３が開かれている状態で、開かれているスキャナー本体２３の前端２３ａをユーザーが下げると、スキャナー本体２３は、その後端に設けられている軸（後述）を中心に図２および図３中時計方向に回動する。これにより、スキャナー本体２３は、本体２１に対して閉じられる。
【００２９】
このように、スキャナー本体２３は、本体２１に対して回動可能に設けられ、回動することにより本体２１の上部を開閉する。カバー２２の開閉方向とスキャナー本体２３の開閉方向とは、同じである。
【００３０】
次に、図４乃至図１０を参照して、カバー２２が開く角度の規制について説明する。図４は、カバー２２およびスキャナー本体２３を閉じた状態のプリンター複合機１１の後側の側面を拡大した拡大左側面図である。図５は、スキャナー本体２３を閉じたままカバー２２を開いた状態のプリンター複合機１１の後側の側面を拡大した拡大左側面図である。図６は、カバー２２およびスキャナー本体２３を開いた状態のプリンター複合機１１の後側の側面を拡大した拡大左側面図である。
【００３１】
カバー２２の後端には、当たり面５１が形成されている。より詳細には、当たり面５１は、閉じられた状態のカバー２２において、Ｚ軸およびＸ軸で規定される平面に平行な面として形成されている。スキャナー本体２３の後端には、カバー受け面５２が形成されている。より詳細には、カバー受け面５２は、スキャナー本体２３が閉じられたままで、カバー２２が開かれた場合、開かれたカバー２２の当たり面５１に接する位置に形成されている。カバー受け面５２は、Ｙ軸およびＸ軸で規定される平面すなわち水平面に平行な面である平面に、後側に変位するに従い下がる曲面が平面の後側につなげられた形状の面として形成されている。
【００３２】
本体２１の後端の上面には、カバー受け面５３が形成されている。より詳細には、カバー受け面５３は、カバー２２およびスキャナー本体２３が開かれている場合、開かれたカバー２２の当たり面５１に接する位置に形成されている。カバー受け面５３は、Ｙ軸およびＸ軸で規定される平面すなわち水平面に平行な面である平面として形成されている。
【００３３】
カバー２２およびスキャナー本体２３が閉じられている場合、図４に示されるように、当たり面５１は、概ね垂直な面となり、カバー受け面５２およびカバー受け面５３は、概ね水平面となる。この状態では図から明かな様に、当たり面５１とカバー受け面５２またはカバー受け面５３は接することがなく、従って、カバー２２およびスキャナー本体２３の位置は、当たり面５１、カバー受け面５２、およびカバー受け面５３によって規制されない。
【００３４】
スキャナー本体２３が閉じられたままで、カバー２２が最大開き角まで開かれると、図５に示されるように、当たり面５１は、カバー受け面５２に当たる。当たり面５１とカバー受け面５２とが接することにより、スキャナー本体２３に対するカバー２２の角度が規制される。すなわち、カバー受け面５２は、スキャナー本体２３が閉状態にあるとき、スキャナー本体２３に対するカバー２２の最大開き角を角度α１に規制する。
【００３５】
カバー２２が最大開き角まで開かれた状態で、さらに本体２１からスキャナー本体２３が開かれると、図６に示されるように、スキャナー本体２３が開かれることにより、カバー２２が後側に変位し、当たり面５１は、カバー受け面５３に当たる。当たり面５１とカバー受け面５３とが接することにより、スキャナー本体２３に対するカバー２２の角度が規制される。すなわち、カバー受け面５３は、スキャナー本体２３が開状態にあるとき、スキャナー本体２３に対するカバー２２の最大開き角を、角度α１より小さい角度α２に規制する。
【００３６】
図７は、図４に示される切断面Ａ−Ａ’における断面を拡大した、プリンター複合機１１の拡大断面図である。図８は、カバー２２およびスキャナー本体２３を閉じた状態のプリンター複合機１１後側の側断面図である。図９は、スキャナー本体２３を閉じたままカバー２２を開いた状態のプリンター複合機１１後側の側断面図である。図１０は、カバー２２およびスキャナー本体２３を開いた状態のプリンター複合機１１後側の側断面図である。尚、図８〜図１０では、Ｘ軸方向の構成要素を一図面で表す為に、また、図の煩雑化を避ける為に、実線、破線、仮想線のこれらを使い分けて示しているが、Ｘ軸方向の位置関係を厳密に示すものではなく、Ｘ軸方向の位置関係は図７に示された内容に準ずる。
【００３７】
カバー２２には、円筒状の突起であるカバー回転軸８１が形成されている。スキャナー本体２３には、Ｚ軸方向に長い溝であって、カバー回転軸８１を挿入できる形状の溝であるスキャナー溝８２が形成されている。カバー回転軸８１がスキャナー溝８２に挿入されると、カバー２２は、回動できるようにスキャナー本体２３によって保持される。カバー回転軸８１はスキャナー溝８２の中を移動することができるので、カバー２２は、スキャナー本体２３の原稿台２５に対して進退する方向に変位可能である。
【００３８】
スキャナー本体２３には、スキャナー回転軸８３が設けられている。スキャナー回転軸８３は、本体２１に回動自在に支えられ、これにより、スキャナー本体２３は、回動できるように本体２１によって保持される。尚、スキャナー回転軸８３は、カバー回転軸８１とは異なり、Ｚ軸方向に移動はできない。
【００３９】
図７および図８に示されるように、スキャナー溝８２およびスキャナー回転軸８３のＹ軸方向の位置は、概ね同じとされている。カバー２２およびスキャナー本体２３が閉じられている場合、カバー回転軸８１は、スキャナー回転軸８３より下に位置する。
【００４０】
スキャナー本体２３が閉じられたままで、カバー２２が開かれると、図９に示されるように、当たり面５１は、カバー受け面５２に当たり、当たり面５１がカバー受け面５２によって支えられて、カバー回転軸８１は、スキャナー本体２３に対して上に変位する。カバー回転軸８１がスキャナー溝８２の上端に達して、当たり面５１が、カバー受け面５２に支えられた状態で、カバー２２は、スキャナー本体２３に対して角度α１で開かれる。カバー受け面５２が、スキャナー本体２３に対するカバー２２の角度を規制する。このとき、カバー回転軸８１がスキャナー溝８２の上端に達しているので、カバー回転軸８１は、スキャナー回転軸８３より上に位置することになる。
【００４１】
カバー２２が開かれた状態で、さらに本体２１からスキャナー本体２３が開かれると、図１０に示されるように、カバー回転軸８１がスキャナー回転軸８３より上に位置しているので、スキャナー本体２３が開かれることにより、カバー２２が後側に変位する。その結果、当たり面５１は、カバー受け面５２から離れて、カバー受け面５３に当たる。すなわち、カバー回転軸８１がスキャナー溝８２の上端に達して、当たり面５１が、カバー受け面５３に支えられた状態で、カバー２２は、スキャナー本体２３に対して角度α２で開かれる。カバー受け面５３が、スキャナー本体２３に対するカバー２２の角度を規制する。
【００４２】
尚、スキャナー溝８２がＺ軸方向に長い溝とされていることで、原稿をセットしてカバー２２を閉じる際には、カバー２２は、スキャナー本体２３に対して上に変位させることができる。例えば、画像の読み取り対象が厚い書籍である場合、スキャナー本体２３の上面の原稿台２５に開いた書籍を載せて、カバー２２を閉じても、カバー２２が上側に移動するので、スキャナー本体２３に対して平行にカバー２２を閉じることができる。すなわち、閉状態において原稿台２５に載置された原稿の厚みに応じて原稿台２５に対する位置を調整することができる。これにより、カバー２２によって、原稿台２５に載置された原稿を全体的に、均一に押圧することができ、適切な読取結果を得ることができる。
【００４３】
以上のように、プリンター複合機１１は、本体（装置本体）２１と、本体２１に対して回動可能に設けられ、回動することにより本体２１の上部を開閉するスキャナー本体（第１の開閉体）２３と、スキャナー本体２３に対して回動可能に設けられ、回動することによりスキャナー本体２３の上部を開閉する、開閉方向がスキャナー本体２３の開閉方向と同じであるカバー（第２の開閉体）２２と、スキャナー本体２３が閉状態にあるとき、当該スキャナー本体２３に対するカバー２２の最大開き角を角度α１に規制するカバー受け面（第１の角度規制部）５２と、スキャナー本体２３が開状態にあるとき、当該スキャナー本体２３に対するカバー２２の最大開き角を、角度α１より小さい角度α２に規制するカバー受け面（第２の角度規制部）５３と、を備える。
【００４４】
カバー２２は、スキャナー本体２３が閉状態にあるときにカバー受け面５２によりスキャナー本体２３に対する最大開き角が角度α１に規制され、スキャナー本体２３が開状態にあるときは、カバー受け面５２とは異なるカバー受け面５３によって、スキャナー本体２３に対する最大開き角が角度α１より小さい角度α２に規制されるので、スキャナー本体２３を開いた際に、それに応じてカバー２２が（本体２１に対して）より大きく開いてしまうことを防止できる。これにより、装置の設置スペースを削減できると同時に、カバー２２を破損させることがなく、或いは破損の虞を軽減することができる。
【００４５】
カバー受け面５２が本体２１ではなくスキャナー本体２３に設けられているので、スキャナー本体２３が本体２１から独立した状態でも、カバー２２の最大開き角を規制することができ、例えば装置の組立工程においてカバー２２を所定の開き角に維持することができ、作業性が容易となる。
【００４６】
また、カバー受け面５３が本体２１に設けられているので、スキャナー本体２３の状態に拘わらず、確実に、カバー２２の最大開き角を規制することができる。
【００４７】
尚、カバー（第２の開閉体）２２が開状態のときに、スキャナー本体（第１の開閉体）２３を閉状態から開状態に移行させる場合、カバー２２の開き角を第１の角度（角度α１）に規制するスキャナー本体２３の回動により、カバー受け面５２（第１の角度規制部）とカバー２２との当接状態が解除され、カバー２２の開き角を第２の角度（角度α２）に規制するカバー受け面５３（第２の角度規制部）とカバー２２との当接状態に移行する。
【００４８】
また、カバー２２が原稿台２５に対して進退する方向に変位可能であるので、カバー２２の閉状態において原稿台２５に載置された原稿の厚みに応じて原稿台２５に対するカバー２２の位置を調整することができる。これにより、カバー２２によって、原稿台２５に載置された原稿を全体的に、均一に押圧することができ、適切な読取結果を得ることができる。
【００４９】
尚、本発明は上記実施例に限定されることなく、特許請求の範囲に記載した発明の範囲内で、種々の変形が可能であり、それらも本発明の範囲内に含まれるものであることは言うまでもない。
【００５０】
例えば、本実施形態において第１の開閉体とスキャナー本体２３とし、第２の開閉体をカバー２２としたが、その関係を逆とし、第１の開閉体をカバー２２とし、第２の開閉体をキャナー本体２３としても良い。
【００５１】
また、本実施形態において第２の開閉体としてのカバー２２は、スキャナー本体２３の原稿台２５を覆うかまたは開くカバーと説明したが、これに代えて原稿を読み取り位置に自動搬送する、いわゆるオートドキュメントフィーダー（ＡＤＦ）と呼ばれる原稿自動送り装置であってもよいし、或いはその他の開閉体であっても良い。
【００５２】
また、本実施形態において第１の開閉体はスキャナー本体２３であるが、これに限られず、下部構造体（本実施形態において本体２１）の上部を開閉するものであればどの様なものであっても良い。  
更に、下部構造体（本実施形態において本体２１）も、記録装置に限られず、どの様な機能を有するものであっても良い。例えば、下部構造体がスキャナー機能を備え、第１の開閉体が原稿台を開閉する開閉体であっても良い。
【００５３】
また更に、下部構造体が記録装置であり、第１、第２の開閉体がスキャナー以外の他の開閉体であっても良い。即ち、下部構造体、第１、第２の開閉体、のこれらを備えて成る装置が、媒体に記録を行う記録装置であっても良い。また、上記実施形態では下部構造体が記録装置であり、第１の開閉体がスキャナーであり、第２の開閉体がカバーであり、これらにより構成された装置全体を画像読取装置と称したが、これに代えて記録装置と称しても良い。
【符号の説明】
【００５４】
１１  プリンター複合機、２１  本体（プリンター部）、２２  カバー、２３  スキャナー本体、２４  スキャナー部、２５  原稿台、５１  当たり面、５２  カバー受け面、５３  カバー受け面、８１  カバー回転軸、８２  スキャナー溝、８３  スキャナー回転軸
【図１】
2014192862.tif 000003
【図２】
2014192862.tif 000004
【図３】
2014192862.tif 000005
【図４】
2014192862.tif 000006
【図５】
2014192862.tif 000007
【図６】
2014192862.tif 000008
【図７】
2014192862.tif 000009
【図８】
2014192862.tif 000010
【図９】
2014192862.tif 000011
【図１０】
2014192862.tif 000012